(57)【要約】【課題】ダイエットを目指すユーザが挫折することなく目標達成可能とするダイエット支援システムを提供する。【解決手段】同じダイエット商品を購入したユーザがそれに付与されたシリアルナンバーを介して会員ユーザとなり、１つのダイエットサークルに加入する。このダイエットサークルは会員専用Ｗｅｂサイト上に構築され、そのＷｅｂサイトを通じて会員相互がはげまし合いまた悩みを打ち明け合って精神的苦痛を緩和しつつ、無理なくダイエット目標を達成させることができる。【選択図】図１
2007280141.tif 000002
【特許請求の範囲】
【請求項１】
特定のダイエット商品を購入したことにより付与されるシリアルナンバーをもって入会し、かつ、ダイエットという共通の目標をお互いに有する複数の会員ユーザがそれぞれ具備する複数のユーザ端末と、
前記複数の会員ユーザのダイエット状況を各個人別に管理するダイエット管理機能部と、該複数の会員ユーザ間のコミュニケーションのための情報交換機能部とを少なくとも有し、インターネットを介して前記複数のユーザ端末に対する会員専用Ｗｅｂサイトを構築するダイエット支援サーバと、からなることを特徴とするダイエット支援システム。
【請求項２】
前記情報交換機能部と協働して、前記複数の会員ユーザの各個人から発信される有用ダイエット情報を収集すると共に他の会員ユーザにその有用ダイエット情報を公開すべく配信するための会員ユーザ情報・データベースを備えることを特徴とする請求項１に記載のダイエット支援システム。
【請求項３】
前記情報交換機能部は、各会員ユーザの日々のダイエット状況を他の会員ユーザに公開するプログ機能を含むことを特徴とする請求項１に記載のダイエット支援システム。
【請求項４】
前記情報交換機能部は、前記複数の会員ユーザ相互間で、日々のダイエット状況についての個人情報を語り合うための掲示板機能を含むことを特徴とする請求項１に記載のダイエット支援システム。
【請求項５】
会員ユーザ各個人からのダイエットに関する質問に対して回答あるいはアドバイスを与えるアドバイザ端末を備え、前記情報交換機能部は、その質問と、その回答あるいはアドバイスとを、当該会員ユーザの前記ユーザ端末と該アドバイザ端末との間で転送する転送機能を含むことを特徴とする請求項１に記載のダイエット支援システム。
【請求項６】
前記情報交換機能部は、前記アドバイザ端末からの前記の回答あるいはアドバイスを、他の前記会員ユーザにも公開する公開機能を含むことを特徴とする請求項５に記載のダイエット支援システム。
【請求項７】
特定のダイエット商品を購入したことにより付与されるシリアルナンバーを受け付ける第１ステップと、
前記シリアルナンバーを受け付けたユーザを会員ユーザとして、ダイエットという共通の目標を有するダイエットサークルを形成する第２ステップと、
前記ダイエットサークルに登録された複数の前記会員ユーザのみがインターネットを介して利用可能なＷｅｂサイトを構築する第３ステップと、
前記Ｗｅｂサイトを介して、前記複数の会員ユーザのダイエット状況を各個人別に管理すると共に、複数の会員ユーザ間のコミュニケーションのための情報交換を行う第４ステップと、を有することを特徴とするダイエット支援方法。
【発明の詳細な説明】
【技術分野】
【０００１】
本発明は、ダイエットを目指す者を、インターネットを介して、支援するためのシステムおよび方法に関する。
【背景技術】
【０００２】
健康のためあるいは美容のためにダイエットを試みようとしている者は少なくない。特に美容のためのダイエットを志す女性の数は潜在的にきわめて多数に及ぶものと思われる。
【０００３】
しかし一口にダイエットと言ってもそれを成就することは一般の女性にとって容易なことではなく、自ら課した厳しい食事制限の計画を克服できずに悩み続けあるいは深い挫折感を味う、といった失敗例は、このダイエットの世界ではむしろ当然のことである。
【０００４】
そこでそのダイエット成功のために手助けをする支援システムがこれまでに種々提案されてきており、とりわけ近年は、パソコンとインターネットの普及に着目して、Ｗｅｂサイト利用型のダイエット支援システムがその殆どを占めるに至っている。本発明もまたそのインターネットを利用したダイエット支援システムに属するものである。
【０００５】
このようなインターネット利用型のダイエット支援システムに係る公知技術は多数に及びその中の数例を挙げると、〔特許文献１〕〜〔特許文献３〕がある。
【０００６】
〔特許文献１〕はＷＥＢブラウザを用いてクライアントがダイエット管理やその現状閲覧等を行えるようにしたものである。また〔特許文献２〕は、システムに登録したユーザが、コンピュータでインターネット経由により、システム管理者に毎食の食事データを送り、その分析結果によるダイエットアドバイスを返してもらう、というものである。さらに〔特許文献３〕は収集した利用者情報をもとに、ダイエット計画を策定し、具体的な食事のメニュープランを利用者に提供するというものである。
【０００７】
【特許文献１】特開２００１−３３１５８５号公報
【特許文献２】特開２００３−１２２８５３号公報
【特許文献３】特開２００３−２０３１２３号公報
【発明の開示】
【発明が解決しようとする課題】
【０００８】
上述した〔特許文献１〕〜〔特許文献３〕に開示する公知技術はいずれも、いわゆるダイエット管理者（センター）といわゆるダイエット実行者（ユーザ）との間のｏｎｅ−to−ｏｎｅアドバイス、といった構成になっている。
【０００９】
しかしながら上記のような「ダイエット管理者対ダイエット被管理者」といった１対１構造を採ると、精神的にまた肉体的にも忍耐を強いられ、このため、なかなか目的を達成できないダイエット被管理者（ユーザ）は、極度の孤独感を味いそしてさらには目的を達成し切れない挫折感におそわれる、という問題がある。
【００１０】
したがって本発明は、上記問題点に鑑み、ダイエットを目指す者すなわちダイエット支援システムのユーザ（以下、単にユーザとも称する）に対し、少なくとも精神的な苦痛を与えず無理なく各々が目標とするダイエットを成就可能なダイエット支援システムおよびダイエット支援方法を提供することを目標とするものである。
【課題を解決するための手段】
【００１１】
図１は本発明に係るダイエット支援システムの基本構成を示す図である。本図において、参照番号１はダイエット支援システムを表し、該システム１はインターネットＮＷ（network）を中心として複数の構成ブロック２〜７と連携する。これらの構成ブロックのうち主要なものは、ダイエット支援サーバ２、複数のユーザ端末３、個人用カルテ・データベース（ＤＢ）４、個人用ダイアリー・データベース（ＤＢ）５および会員ユーザ情報・データベース（ＤＢ）６である。さらに好ましくは、アドバイザ端末７があり、またレポータ端末８がある。なお上記のユーザ端末３は、パソコンや携帯電話等、Ｗｅｂにアクセスできる機能を備えたものであれば、どのような端末であってもよい。
【００１２】
上記の主要な構成ブロック１〜６のうち、その中核をなすのはダイエット支援サーバ２であり、その２大機能部として、ダイエット管理機能部１０と情報交換機能部２０とを有する。特に後者の情報交換機能部２０は、前述の会員ユーザ情報ＤＢ６と共に、本発明を特徴付ける構成ブロックである（後述）。
【００１３】
さらに具体的には、本発明に係るダイエット支援システム１は、（ｉ）特定のダイエット商品を購入したことにより付与されるシリアルナンバー（ＳＮ）をもって入会し、かつ、ダイエットという共通の目標をお互いに有する複数の会員ユーザがそれぞれ具備する複数のユーザ端末３と、（ii）これら複数の会員ユーザのダイエット状況を各個人別に管理するダイエット管理機能部１０と、これら複数の会員ユーザ間のコミュニケーションのための情報交換機能部２０とを少なくとも有し、インターネットＮＷを介してこれら複数のユーザ端末３に対する会員専用Ｗｅｂサイトを構築するダイエット支援サーバ２と、から構成される。
【００１４】
さらに詳細には、（iii）ダイエット管理機能部１０と協働して、上述した複数の会員ユーザのダイエット進捗状況を各個人別に記録して管理する個人用カルテ・データベース（ＤＢ）４と、（iv）同じくダイエット管理機能部１０と協働して、各個人別にダイエット進捗状況に合わせて摂取した食事またはカロリーについて記録し管理する個人用ダイアリー・データベース（ＤＢ）５と、を少なくとも備えると共に、（ｖ）前述の情報交換機能部２０と協働して、上記複数の会員ユーザの各個人から発信される有用ダイエット情報を収集して他の会員ユーザにその有用ダイエット情報を公開すべく配信するための会員ユーザ情報・データベース（ＤＢ）６を備えることを特徴としている。
【発明の効果】
【００１５】
本発明の基本思想は、前述した従来の公知技術のように、ダイエット管理者すなわちダイエット支援サーバ２と、ダイエット被管理者すなわちユーザ端末３だけの１対１の関係に留めることなく、複数のユーザ端末３相互間の連携をもダイエット達成への重要なファクタとしたことにある。
【００１６】
すなわち、複数のユーザの各々を孤立させずにサークル化し、そこに連帯感あるいは同盟意識を生じさせることにより、各ユーザのダイエット目標達成へのモチベーションを飛躍的に向上させようとするのが本発明の狙いである。そうすることによって、複数のユーザがお互いにはげまし合い、悩み合いあるいは成功例を教え合いまた失敗例を披露し合う、といった自由な情報交換広場を、専用Ｗｅｂサイトとしてインターネット上に形成するのである。
【００１７】
しかしながら上記のようなサークル（同盟）が容易に構築できるものではない。ユーザ相互は、当然、元々他人だからである。
【００１８】
そこで少なくともダイエットという共通の目標を有していることが明らかなユーザに限定して会員ユーザとすれば、比較的容易かつ迅速に上記のサークル（同盟）を作り上げることが可能となる。
【００１９】
このために本発明は、数あるダイエット商品のうちのある特定のダイエット商品を選択して購入したという事実から、少なくともダイエットという共通の目標かつ特別のポリシー性のある目標を有している特定のユーザであるとみなすことにする。そして、その特定のユーザ群をもって、当該サークル（同盟）の会員ユーザとするのである。
【００２０】
このようにして会員ユーザ間のモチベーションの向上という効果までも組み込んだダイエット支援システムは本発明に固有のものと考える。
【発明を実施するための最良の形態】
【００２１】
図２は図１に示す情報交換機能部２０の詳細例を示す図である。本図において、ダイエット支援サーバ２内に形成され、会員ユーザ情報・データベース６とインターネットＮＷとに連携する情報交換機能部２０は、図示するように、少なくとも５つの機能（function）Ｆ１〜Ｆ５を果たす。
【００２２】
まずＦ１は、各会員ユーザの日々のダイエット状況を他の会員ユーザに公開するプログ機能である。例えば、サーバ２のダイエット管理機能部１０によって作成された日々の体重の変化を表したグラフを、他の会員ユーザにＷｅｂサイト上で公表する。もし順調に下降するカーブを描いたグラフならば、それを見た他の会員ユーザに刺激を与えることになる。
【００２３】
またＦ２は、複数の会員ユーザ相互間で、日々のダイエット状況についての個人情報を語り合うための掲示板機能である。例えば上記のグラフが急激な上昇傾向を示しているときに、同様の経験を有する他の会員ユーザが、例えば共通に使用している当該ダイエット商品の使用の仕方を変更してその下降に成功したような事実を体験したならば、その掲示板上でその体験を教えてあげることができる。
【００２４】
さらにＦ３は、上記アドバイザ端末７に関連する機能であって、会員ユーザ各個人からのダイエットに関する質問に対して回答あるいはアドバイスを与える場合に、その質問と、その回答あるいはアドバイスとを、当該会員ユーザのユーザ端末３と該アドバイザ端末７との間で転送する転送機能である。例えば体調が良くないときにおけるダイエット商品の使用量と食事の種類との関連に関する専門的なアドバイスを受けたいとき等に有益である。
【００２５】
さらにまたＦ４は、例えば上記のアドバイスが他の会員ユーザにとってもきわめて有益であると考えたようなときに、上記の回答あるいはアドバイスを、他の会員ユーザにも公開することができる公開機能である。
【００２６】
さらにＦ５は、ダイエットに関するトピックスあるいはニュースを収集して提供する上記のレポータ端末８に関連するものであって、そのトピックスあるいはニュースを会員ユーザのユーザ端末３上に読み物として公開し、かつ会員ユーザからのその読み物についてのコメントを受け付けて他のユーザ端末３上に公開するラウンジ機能である。例えば、著名な医師や栄養管理士とインタビューを行ったときに、そのインタビューの内容を全会員ユーザに紹介するとき等に利用することができる。
【００２７】
図３の（Ａ）および（Ｂ）は、初期登録に関するＷｅｂ画面を示す図（その１）、
図４の（Ａ）および（Ｂ）は同図（その２）、
図５の（Ａ）および（Ｂ）は同図（その３）である。
【００２８】
図３（Ａ）はトップページ（ログイン画面）であり、メンバー（会員ユーザ）ａは、メールアドレスｃとパスワードｄを入力する。初めての者ｂは、購入した上記特定のダイエット商品に添付された案内のちらしに従ってメンバー登録ｅを行う。
【００２９】
図３（Ｂ）は利用規約確認のページであり、規約に対する同意の有無をａまたはｂで指定する。
【００３０】
図４（Ａ）は購入確認のページであり、購入した特定のダイエット商品に付与されているシリアルナンバー（ＳＮ）を入力する（ａ）。また図４（Ｂ）は会員情報入力画面であって、メンバー登録情報を入力（ａ）するページであり、ニックネーム（ｂ）、パスワード（ｃ）、ＰＣメールアドレス（ｄ）、携帯メールアドレス（ｅ）等を入力して登録を行う。
【００３１】
図５（Ａ）はプロフィールの入力画面であって、当該会員ユーザのプロフィールを入力（ａ）する。例えば性別、生年月日、住所…等（ｂ）である。また図５（Ｂ）は個人カルテを作成する画面であって、体重、体脂肪率、バスト、ウエスト…等々の、ダイエットスタート時の値の入力と、希望する最終目標値の設定（ａ）を行う。この場合、だらだらとダイエットに取り組むのではなく、短期間で目標を達成するように日時の設定（ｂ）を行う。例えば、１ヶ月を最終目標と定めたならば、第１ターム（ｃ）を一週間に設定する。そしてその一週間毎に体重等のチェックを行う。
【００３２】
図６の（Ａ）および（Ｂ）は、個人用ダイアリーに関するＷｅｂ画面を示す図（その１）、
図７の（Ａ）および（Ｂ）は同図（その２）、
図８の（Ａ）および（Ｂ）は同図（その３）、
図９は同図（その４）である。
【００３３】
図６（Ａ）はマイページトップの画面であり、主として食事の記録を行う。朝食、昼食および夕食に分けて記録する。
【００３４】
図６（Ｂ）はダイエットダイアリーの画面であり、主として食事についてのトピックス等を日々の単位で記録する。
【００３５】
図７（Ａ）は、ダイエットダイアリーに関する画面であり、特に個別閲覧とコメント入力の画面となっている。また図７（Ｂ）は、新規のダイアリーを作成するための画面となっている。
【００３６】
図８（Ａ）はダイエットダイアリーの画面、特にダイアリー編集用の画面となっている。図８（Ｂ）はダイエットメモリー一覧の画面であり、１月分のカロリーの記録を一目で見ることができる。また図９は、個別メモリー閲覧ならびに編集用の画面である。
【００３７】
図１０はマンツーマンでのアドバイスに関するＷｅｂ画面を示す図（その１）、
図１１の（Ａ）および（Ｂ）は同図（その２）である。図１０はＯｎｅ  to  Ｏｎｅアドバイスのトップページであり、図１１（Ａ）はＯｎｅ  to  Ｏｎｅアドバイスのための新規相談入力用の画面である。また図１１（Ｂ）はＯｎｅ  to  Ｏｎｅアドバイスの詳細画面である。
【００３８】
図１２の（Ａ）および（Ｂ）は、ラウンジに関連するＷｅｂ画面を示す図（その１）、
図１３は同図（その２）である。
【００３９】
図１２（Ａ）はダイエットラウンジのトップページ画面であり、図１２（Ｂ）はダイエットラウンジにおける各テーマについてのトップページ画面である。また図１３はトピックスの詳細を記述したり、またそれに対する会員からのコメントを入力する画面である。
【００４０】
以上詳しく説明したダイエット支援システム１は、以下のダイエット支援方法に係るステップを実行する。
【００４１】
図１４は本発明に係るダイエット支援方法の基本ステップを表すフローチャートである。本図に示すとおり、本発明の基本ステップは、シリアルナンバー（ＳＮ）を受け付ける第１ステップＳ１１と、ダイエットサークルを形成する第２ステップＳ１２と、Ｗｅｂサイトを構築する第３ステップＳ１３と、会員ユーザ間で情報交換を行う第４ステップＳ１４と、からなる。
【００４２】
さらに詳細には、
第１ステップＳ１１においては、特定のダイエット商品を購入したことにより付与されるシリアルナンバー（ＳＮ）を受け付ける。
第２ステップＳ１２においては、そのシリアルナンバー（ＳＮ）を受け付けたユーザを会員ユーザとして、ダイエットという共通の目標を有するダイエットサークルを形成する。
第３ステップＳ１３においては、そのダイエットサークルに登録された複数の会員ユーザのみがインターネットＮＷを介して利用可能なＷｅｂサイトを構築する。
第４ステップＳ１４においては、そのＷｅｂサイトを介して、複数の会員ユーザのダイエット状況を各個人別に管理すると共に、複数の会員ユーザ間のコミュニケーションのための情報交換を行う。
【００４３】
上記の第１ステップＳ１１〜第４ステップＳ１４のうち、本発明を特徴付けるのは特に第４ステップＳ１４である。これを図に示す。
【００４４】
図１５は図１４に示す第４ステップＳ１４を特に詳細に表すフローチャートである。本図において、注目すべき点は、該第４ステップＳ１４が大別して、「ダイエット管理」系のステップと、「情報交換」系のステップとから構成され、かつ、両系が同時に並列的に進行することである。
【００４５】
まず本来の「ダイエット管理」系について見ると、
（ｉ）複数の会員ユーザのダイエット進捗状況を各個人別に記録して管理するステップＳ１４１を有し、また
（ii）各個人別にダイエット進捗状況に合わせて摂取した食事またはカロリーについて記録し管理するステップＳ１４２を有する。
【００４６】
次に本発明のポイントである「情報交換」系について見てみると、
まず、複数の会員ユーザの各個人から発信される有用ダイエット情報を収集すると共に他の会員ユーザにその有用ダイエット情報を公開するステップＳ１４３を有する。
また各会員ユーザの日々のダイエット状況を他の会員ユーザに公開するためのプログ動作を実行させるステップＳ１４４を有する。
さらに複数の会員ユーザ相互間で、日々のダイエット状況についての個人情報を語り合うための掲示板動作を実行させるステップＳ１４５を有する。
【００４７】
このようなダイエットサークルの情報交換の輪を広げるために、さらなるステップを上記「情報交換」系のステップに追加するのが好ましい。これを図に示す。
【００４８】
図１６は図１５の第４ステップＳ１４にさらに追加すべきステップを表す図である。本図において、
まずステップＳ１４６においては、会員ユーザ各個人からのダイエットに関する質問に対するアドバイザからの回答あるいはアドバイスを当該会員ユーザに提供する。
またステップＳ１４７においては、アドバイザからの回答あるいはアドバイスを、他の会員ユーザにも公開する。
さらにステップＳ１４８においては、ダイエットに関するトピックスあるいはニュースを会員ユーザに読み物として公開し、かつ会員ユーザからのその読み物についてのコメントを受け付けて他の会員ユーザに公開するためのラウンジ動作を実行させる。
【００４９】
以上説明したように本発明によれば、同じダイエット商品を購入したユーザは同じ目的意識を持っている可能性が高いことに着目し、各該ダイエット商品に付与したシリアルナンバー（ＳＮ）を該ユーザがダイエット管理センターに返送することを契機に、当該ユーザを会員ユーザとして登録すると共にダイエットサークルをインターネット上に立ち上げる。そしてこのダイエットサークルの中でお互いに自由に情報交換をして、相互にはげまし合いながらまた有用ダイエット情報を共有し合いながら、挫折を回避し、短期間のうちに、会員ユーザ個々のダイエット目標を確実に達成するようにすることができる。
【図面の簡単な説明】
【００５０】
【図１】本発明に係るダイエット支援システムの基本構成を示す図である。
【図２】図１に示す情報交換機能部の詳細例を示す図である。
【図３】（Ａ）および（Ｂ）は初期登録に関するＷｅｂ画面を示す図（その１）である。
【図４】（Ａ）および（Ｂ）は初期登録に関するＷｅｂ画面を示す図（その２）である。
【図５】（Ａ）および（Ｂ）は初期登録に関するＷｅｂ画面を示す図（その３）である。
【図６】（Ａ）および（Ｂ）は個人用ダイアリーに関するＷｅｂ画面を示す図（その１）である。
【図７】（Ａ）および（Ｂ）は個人用ダイアリーに関するＷｅｂ画面を示す図（その２）である。
【図８】（Ａ）および（Ｂ）は個人用ダイアリーに関するＷｅｂ画面を示す図（その３）である。
【図９】個人用ダイアリーに関するＷｅｂ画面を示す図（その４）である。
【図１０】マンツーマンでのアドバイスに関するＷｅｂ画面を示す図（その１）である。
【図１１】（Ａ）および（Ｂ）はマンツーマンでのアドバイスに関するＷｅｂ画面を示す図（その２）である。
【図１２】（Ａ）および（Ｂ）はラウンジに関するＷｅｂ画面を示す図（その１）である。
【図１３】ラウンジに関するＷｅｂ画面を示す図（その２）である。
【図１４】本発明に係るダイエット支援方法の基本ステップを表すフローチャートである。
【図１５】図１４に示す第４ステップＳ１４を特に詳細に表すフローチャートである。
【図１６】図１５の第４ステップＳ１４にさらに追加すべきステップを表す図である。
【符号の説明】
【００５１】
１    ダイエット支援システム
２    ダイエット支援サーバ
３    ユーザ端末
４    個人用カルテ・データベース
５    個人用ダイアリー・データベース
６    会員ユーザ情報・データベース
７    アドバイザ端末
８    レポータ端末
１０    ダイエット管理機能部
２０    情報交換機能部
ＮＷ    インターネット
【図１】
2007280141.tif 000003
【図２】
2007280141.tif 000004
【図３】
2007280141.tif 000005
【図４】
2007280141.tif 000006
【図５】
2007280141.tif 000007
【図６】
2007280141.tif 000008
【図７】
2007280141.tif 000009
【図８】
2007280141.tif 000010
【図９】
2007280141.tif 000011
【図１０】
2007280141.tif 000012
【図１１】
2007280141.tif 000013
【図１２】
2007280141.tif 000014
【図１３】
2007280141.tif 000015
【図１４】
2007280141.tif 000016
【図１５】
2007280141.tif 000017
【図１６】
2007280141.tif 000018